(57)【要約】【課題】構成を簡略化および小型化することが可能な画像表示装置を提供する。【解決手段】画像表示装置３０は、画像を形成する画像形成部１０と、画像形成部１０によって形成された画像をスクリーンに投影させる投射レンズ１１ａおよび１１ｂとを含むプロジェクタ１と、プロジェクタ１の投射レンズ１１ａおよび１１ｂの絞りの位置の近傍に配置され、投射レンズ１１ａを通過した画像に対応する光を透過させる透過領域２５ｃと遮光するための遮光領域２５ｄとを含む画像通過領域制御部２と、画像通過領域制御部２の透過領域２５ｃを通過した光に対応する画像が結像されるスクリーンを構成するとともに、観察者６の左目６ａまたは右目６ｂの少なくとも一方に向かって画像に対応する光を集光するための単一のフレネルレンズ３とを備え、観察者６に少なくとも立体画像を提供する。【選択図】図１
2006330466.tif 000002
【特許請求の範囲】
【請求項１】
画像を形成する画像形成手段と、前記画像形成手段によって形成された画像をスクリーンに投影させる投射レンズとを含むプロジェクタと、
前記プロジェクタの投射レンズの絞りの位置の近傍に配置され、前記投射レンズを通過した画像に対応する光を透過させる透過領域と遮光するための遮光領域とを含む画像通過領域制御手段と、
前記画像通過領域制御手段の透過領域を通過した光に対応する画像が結像される前記スクリーンを構成するとともに、観察者の左目または右目の少なくとも一方に向かって前記画像に対応する光を集光するための単一のフレネルレンズとを備え、
前記画像通過領域制御手段および前記単一のフレネルレンズにより、前記画像を観察者の左目または右目の少なくとも一方に入射させることによって、観察者に少なくとも立体画像を提供する、画像表示装置。
【請求項２】
前記画像通過領域制御手段は、前記画像形成手段によって形成された画像に対応する光を透過させるための透過領域と遮光するための遮光領域とが形成される通過制御液晶パネルと、前記通過制御液晶パネルを挟んで対向するように配置される第１偏光板および第２偏光板とを含む、請求項１に記載の画素表示装置。
【請求項３】
観察者の目の位置を検出可能な位置検出手段と、前記位置検出手段によって検出された観察者の目の位置に応じて、前記通過制御液晶パネルの前記透過領域と前記遮光領域とを制御する制御部とをさらに備えた、請求項２に記載の画像表示装置。
【請求項４】
前記通過制御液晶パネルには、前記通過制御液晶パネルの透過領域および遮光領域を制御するための電極が観察者の左右の目を結んだ第１の方向に隣接するように複数設けられており、
前記制御部は、前記通過制御液晶パネルの複数の電極の駆動を制御することによって、前記通過制御液晶パネルの透過領域の第１の方向の長さを変化させる、請求項２または３に記載の画像表示装置。
【請求項５】
前記制御部は、前記通過制御液晶パネルの複数の電極の駆動を制御することにより、前記通過制御液晶パネルの透過領域の第１の方向の長さを制御することによって、観察者が観測可能な領域を制限する、請求項４に記載の画像表示装置。
【請求項６】
前記通過制御液晶パネルの透過領域は、観察者の左目または右目の位置に対応するようにスポット状に形成される、請求項２〜５のいずれか１項に記載の画像表示装置。
【請求項７】
前記通過制御液晶パネルの透過領域は、観察者の左目または右目の前記第１の方向の位置に対応するように、前記第１の方向と交差する第２の方向に延びるスリット状に形成される、請求項２〜５のいずれか１項に記載の画像表示装置。
【請求項８】
前記通過制御液晶パネルの透過領域は、前記画像形成手段により形成される画像の１／ｎフレーム期間（ｎは２以上の自然数）毎に移動されるように制御され、
前記画像形成手段は、前記通過制御液晶パネルの透過領域が移動されるのに同期して、前記画像形成手段によって形成される第１画像と第２画像とが入れ替わるように制御される、請求項２〜７のいずれか１項に記載の画像表示装置。
【請求項９】
前記通過制御液晶パネルの透過領域は、前記画像形成手段により形成される画像の１／ｎフレーム期間（ｎは２以上の自然数）毎に観察者の左目に対応する位置と右目に対応する位置とに移動されるように制御され、
前記画像形成手段は、前記通過制御液晶パネルの透過領域が移動されるのに同期して、前記画像形成手段によって形成される左目用の第１画像と右目用の第２画像とが入れ替わるように制御することによって、観察者に立体画像を提供する、請求項８に記載の画像表示装置。
【請求項１０】
前記通過制御液晶パネルの透過領域は、前記画像形成手段により形成される画像の１／ｎフレーム期間（ｎは２以上の自然数）毎に第１の観察者に対応する位置と第２の観察者に対応する位置とに移動されるように形成され、
前記画像形成手段は、前記通過制御液晶パネルの透過領域が移動されるのに同期して、前記画像形成手段によって形成される前記第１の観察者用の第１平面画像と前記第２の観察者用の第２平面画像とが入れ替わるように制御することによって、異なる観察位置に位置する第１の観察者および第２の観察者にそれぞれ異なる前記第１平面画像および前記第２平面画像を提供する、請求項８に記載の画像表示装置。
【請求項１１】
前記１／ｎフレーム期間は、１／２フレーム期間である、請求項８〜１０のいずれか１項に記載の画像表示装置。
【請求項１２】
前記画像形成手段は、液晶表示パネルを含む、請求項８〜１１のいずれか１項に記載の画像表示装置。
【請求項１３】
前記画像形成手段と前記投射レンズとを含むプロジェクタと、前記画像通過領域制御手段とは、それぞれ、２つずつ設けられている、請求項１〜７のいずれか１項に記載の画像表示装置。
【請求項１４】
一方の前記プロジェクタの画像通過領域制御手段を透過した光のうち前記フレネルレンズの中心を通る光と、他方の前記プロジェクタの前記画像通過領域制御手段を透過した光のうち前記フレネルレンズの中心を通る光とが、実質的に一致するように配置されたハーフミラーをさらに備える、請求項１３に記載の画像表示装置。
【請求項１５】
前記２つの画像形成手段は、第１画像形成手段と第２画像形成手段とを含み、
前記２つの画像通過領域制御手段は、第１通過制御液晶パネルと第２通過制御液晶パネルとを含み、
前記第１通過制御液晶パネルの透過領域は、観察者の左目に対応する位置に移動されるように制御されるとともに、前記第２通過制御液晶パネルの透過領域は、観察者の右目に対応する位置に移動されるように制御され、
前記第１画像形成手段は、左目用の第１画像を形成するとともに、前記第２画像形成手段は右目用の第２画像を形成することによって、観察者に立体画像を提供する、請求項１３または１４に記載の画像表示装置。
【請求項１６】
前記２つの画像形成手段は、第１画像形成手段と第２画像形成手段とを含み、
前記２つの画像通過領域制御手段は、第１通過制御液晶パネルと第２通過制御液晶パネルとを含み、
前記第１通過制御液晶パネルの透過領域は、第１の観察者の両目に対応する位置に移動されるように制御されるとともに、前記第２通過制御液晶パネルの透過領域は、第２の観察者の両目に対応する位置に移動されるように制御され、
前記第１画像形成手段は、第１の観察者用の第１平面画像を形成するとともに、前記第２画像形成手段は第２の観察者用の第２平面画像を形成することによって、異なる観察位置に位置する第１の観察者および第２の観察者にそれぞれ異なる前記第１平面画像および前記第２平面画像を提供する、請求項１３または１４に記載の画像表示装置。
【発明の詳細な説明】
【技術分野】
【０００１】
本発明は、画像表示装置に関し、特に、複数の観察者に立体画像を提供可能な画像表示装置に関する。
【背景技術】
【０００２】
従来、３次元の立体画像を表示する画像表示装置が知られている（たとえば、特許文献１参照）。図２２は、上記特許文献１に開示された従来の立体映像表示装置の構成を示した概略図である。
【０００３】
図２２に示すように、上記特許文献１に開示された立体映像表示装置１２０は、液晶プロジェクタ１００と、スクリーン１１０とを備えている。この液晶プロジェクタ１００は、光源１０１と、光源１０１からの光を均一にするインテグレータ群１０２と、透過領域と遮光領域とを切り換え可能なシャッタ手段１０３と、画像を形成する液晶表示パネル１０４と、投射レンズ１０５とを備えている。また、スクリーン１１０は、入射側のレンチキュラーレンズ１１１と、拡散板１１２と、出射側のレンチキュラーレンズ１１３との３つの部材により構成されている。
【０００４】
上記特許文献１の立体映像表示装置１２０では、左目用の画像を観察者１３０および１４０の左目１３０ａおよび１４０ａに送る場合には、光源１０１からの光がインテグレータ群１０２を通過して、その光の一部だけがシャッタ手段１０３の透過領域によって透過される。このシャッタ手段１０３によって透過された光が、液晶表示パネル１０４に到達して左目用の画像が形成され、その左目用の画像が投射レンズ１０５に入射する。そして、投射レンズ１０５内の絞り部の近傍には、シャッタ手段１０３の透過領域および液晶パネル１０４を通過した像が結像される像領域１０５ａが形成される。また、投射レンズ１０５から出射した左目用の画像は、入射側のレンチキュラーレンズ１１１によって拡散板１１２上にストライプ状に結像される。拡散板１１２上に結像された左目用の画像は、出射側のレンチキュラーレンズ１１３によって観察者１３０および１４０の左目１３０ａおよび１４０ａに送られる。また、シャッタ手段１０３の透過領域を移動させることにより、液晶表示パネル１０４によって形成された右目用の画像を観察者１３０および１４０の右目１３０ｂおよび１４０ｂに送ることも可能となる。このように、特許文献１に記載された立体映像表示装置１２０では、液晶表示パネル１０４に左目用画像および右目用画像を時分割で切り換えて表示するとともに、その切り換えに同期してシャッタ手段１０３の透過領域を切り換えることによって、左目用画像および右目用画像を、それぞれ、観察者１３０および１４０の左目１３０ａおよび１４０ａと右目１３０ｂおよび１４０ｂとに入射させることが可能になる。これにより、複数の観察者１３０および１４０が同時に立体画像を見ることができる。
【０００５】
【特許文献１】特開２００１−１３４５７号公報
【発明の開示】
【発明が解決しようとする課題】
【０００６】
しかしながら、上記特許文献１に開示された従来の立体映像表示装置１２０では、入射側のレンチキュラーレンズ１１１と、拡散板１１２と、出射側のレンチキュラーレンズ１１３との３つの部材によってスクリーン１１０が構成されているので、スクリーン１１０の構成が複雑になるという問題点がある。また、入射側のレンチキュラーレンズ１１１および出射側のレンチキュラーレンズ１１３の焦点距離の関係から、レンチキュラーレンズ１１１と拡散板１１２とを所定の間隔を隔てて配置するとともに、拡散板１１２とレンチキュラーレンズ１１３とを所定の間隔を隔てて配置する必要があるため、スクリーン１１０の厚みが大きくなるという不都合がある。このため、立体映像表示装置１２０が大型化するという問題点がある。また、シャッタ手段１０３をインテグレータ群１０２と液晶表示パネル１０４との間に配置するために、シャッタ手段１０３を液晶表示パネル１０４と同等かそれ以上の大きさに形成する必要がある。このため、上記特許文献１では、シャッタ手段１０３が大型化するので、これによっても、立体映像表示装置１２０が大型化するという問題点がある。
【０００７】
この発明は、上記のような課題を解決するためになされたものであり、この発明の１つの目的は、構成を簡略化および小型化することが可能な画像表示装置を提供することである。
【課題を解決するための手段および発明の効果】
【０００８】
上記目的を達成するために、この発明の一の局面による画像表示装置は、画像を形成する画像形成手段と、画像形成手段によって形成された画像をスクリーンに投影させる投射レンズとを含むプロジェクタと、プロジェクタの投射レンズの絞りの位置の近傍に配置され、投射レンズを通過した画像に対応する光を透過させる透過領域と遮光するための遮光領域とを含む画像通過領域制御手段と、画像通過領域制御手段の透過領域を通過した光に対応する画像が結像されるスクリーンを構成するとともに、観察者の左目または右目の少なくとも一方に向かって画像に対応する光を集光するための単一のフレネルレンズとを備え、画像通過領域制御手段および単一のフレネルレンズにより、画像を観察者の左目または右目の少なくとも一方に入射させることによって、観察者に少なくとも立体画像を提供する。
【０００９】
この一の局面による画像表示手段では、上記のように、画像形成手段によって形成されて投射レンズを通過した画像に対応する光を透過させる透過領域を含む画像通過領域制御手段を設けるとともに、その画像通過領域制御手段の透過領域を通過した画像に対応する光を観察者の左目または右目の少なくとも一方に向かって集光するとともにスクリーンを構成する単一のフレネルレンズを設けることによって、観察者の左右の目に到達する画像を、両目視差を有する画像にすれば、観察者に立体画像（３次元画像）を提供することができる。また、スクリーンを単一のフレネルレンズのみから構成することによって、スクリーンの構成を簡略化することができるとともに、スクリーンの厚みを小さくすることができる。これにより、画像表示装置を小型化することができる。また、画像を集束させる投射レンズの絞りの位置の近傍に、画像通過領域制御手段を配置することによって、画像通過領域制御手段を投射レンズよりも小さくすることができる。これにより、画像通過領域制御手段を小型化することができるので、これによっても、画像表示装置の小型化を図ることができる。
【００１０】
上記一の局面による画像表示装置において、好ましくは、画像通過領域制御手段は、画像形成手段によって形成された画像に対応する光を透過させるための透過領域と遮光するための遮光領域とが形成される通過制御液晶パネルと、通過制御液晶パネルを挟んで対向するように配置される第１偏光板および第２偏光板とを含む。このように構成すれば、容易に、通過制御液晶パネルの透過領域を通過する画像に対応する光のみを観察者に到達させることができるとともに、通過制御液晶パネルの遮光領域を通過しようとする画像に対応する光を遮光することができる。
【００１１】
上記一の局面による画像表示装置において、好ましくは、観察者の目の位置を検出可能な位置検出手段と、位置検出手段によって検出された観察者の目の位置に応じて、通過制御液晶パネルの透過領域と遮光領域とを制御する制御部とをさらに備えている。このように構成すれば、観察者の移動を位置検出手段により検出するとともに、その位置情報に基づいて、制御部が通過制御液晶パネルの透過領域と遮光領域とを移動させることができるので、観察者が移動した場合にも、観察者に適切な画像を提供することができる。
【００１２】
上記一の局面による画像表示装置において、好ましくは、通過制御液晶パネルには、通過制御液晶パネルの透過領域および遮光領域を制御するための電極が観察者の左右の目を結んだ第１の方向に隣接するように複数設けられており、制御部は、通過制御液晶パネルの複数の電極の駆動を制御することによって、通過制御液晶パネルの透過領域の第１の方向の長さを変化させる。このように構成すれば、透過領域を複数の電極により構成する場合に、第１の方向における印加状態の電極の数を増加または減少させることにより、容易に、透過領域の第１の方向の長さを変化させることができる。これにより、１つの通過制御液晶パネルを用いて、容易に、画像形成手段により形成された画像の到達領域の第１の方向の長さを変化させることができるので、容易に、観察者の左目または右目の一方に画像（立体画像）を到達させる場合と観察者の両目に画像（平面画像）を到達させる場合とを切り換えることができる。その結果、１つの通過制御液晶パネルを用いて、容易に、観察者に立体画像および平面画像の両方を提供することができる。
【００１３】
上記制御部によって透過領域の第１の方向の長さを変更可能な画像表示装置において、制御部は、通過制御液晶パネルの複数の電極の駆動を制御することにより、通過制御液晶パネルの透過領域の第１の方向の長さを制御することによって、観察者が観測可能な領域を制限する。このように構成すれば、通過制御液晶パネルの透過領域を透過した画像に対応する光の画像の到達領域の第１の方向の長さを制御することができるので、観察者が画像を見ることが可能な領域を小さくすることができる。これにより、観察者が画像を観察する視野角を制限することができるので、観察者が見ている画像を他の観察者に見られるのを抑制することができる。
【００１４】
上記一の局面による画像表示装置において、好ましくは、通過制御液晶パネルの透過領域は、観察者の左目または右目の位置に対応するようにスポット状に形成される。このように構成すれば、通過制御液晶パネルの透過領域を透過する画像が到達する画像到達領域を小さくすることができるので、容易に、観察者の左目または右目の一方のみに、画像（立体画像）を到達させることができる。
【００１５】
上記一の局面による画像表示装置において、好ましくは、通過制御液晶パネルの透過領域は、観察者の左目または右目の第１の方向の位置に対応するように、第１の方向と交差する第２の方向に延びるスリット状に形成される。このように構成すれば、通過制御液晶パネルの透過領域を透過する画像が到達する画像到達領域の第１の方向の長さを制御することができるので、観察者が画像を見ることが可能な画像到達領域の第１の方向の長さを小さくすることができる。これにより、容易に、観察者の左目または右目の一方のみに、画像（立体画像）を到達させることができる。また、通過制御液晶パネルの透過領域が、第２の方向に延びるスリット状に形成されているので、透過領域を通過して画像が到達する画像到達領域も第２の方向に延びるスリット状に形成される。これにより、観察者がスリット状の画像到達領域内で第２の方向に移動しても、画像到達領域を移動させることなく、観察者は画像を見ることができる。
【００１６】
上記一の局面による画像表示装置において、好ましくは、通過制御液晶パネルの透過領域は、画像形成手段により形成される画像の１／ｎフレーム期間（ｎは２以上の自然数）毎に移動されるように制御され、画像形成手段は、通過制御液晶パネルの透過領域が移動されるのに同期して、画像形成手段によって形成される第１画像と第２画像とが入れ替わるように制御される。このように構成すれば、１／ｎフレーム期間の間では、観察者の左目および右目の一方、または、一方の観察者の両目に、画像形成手段によって形成された第１画像（立体画像または平面画像）を到達させるとともに、次の１／ｎフレーム期間の間では、観察者の左目および右目の他方、または、他方の観察者の両目に、画像形成手段によって形成される第２画像（立体画像または平面画像）を到達させることができる。これにより、１フレーム期間の間に、第１画像および第２画像を画像到達領域に到達させることができるので、観察者は画像劣化の少ない画像を見ることができる。
【００１７】
上記一の局面による画像表示装置において、好ましくは、通過制御液晶パネルの透過領域は、画像形成手段により形成される画像の１／ｎフレーム期間（ｎは２以上の自然数）毎に観察者の左目に対応する位置と右目に対応する位置とに移動されるように制御され、画像形成手段は、通過制御液晶パネルの透過領域が移動されるのに同期して、画像形成手段によって形成される左目用の第１画像と右目用の第２画像とが入れ替わるように制御することによって、観察者に立体画像を提供する。このように構成すれば、１／ｎフレーム期間の間では、観察者の左目に画像形成手段の全領域によって形成された左目用の第１画像を到達させるとともに、観察者の右目に第１画像を到達させないようにすることができる。そして、次の１／ｎフレーム期間の間では、観察者の右目に画像形成手段の全領域によって形成される右目用の第２画像を到達させるとともに、観察者の左目に画像を到達させないようにすることができる。これにより、少なくとも１フレーム期間の間に、観察者の左目は画像形成手段の全領域によって形成された左目用の第１画像を見ることができるとともに、観察者の右目は画像形成手段の全領域によって形成された右目用の第２画像を見ることができる。その結果、観察者の左目および右目は、画像形成手段によって形成される左目用の第１画像および右目用の第２画像を連続して観察していると認識するので、観察者は画像劣化の少ない立体画像を見ることができる。
【００１８】
上記一の局面による画像表示装置において、好ましくは、通過制御液晶パネルの透過領域は、画像形成手段により形成される画像の１／ｎフレーム期間（ｎは２以上の自然数）毎に第１の観察者に対応する位置と第２の観察者に対応する位置とに移動されるように形成され、画像形成手段は、通過制御液晶パネルの透過領域が移動されるのに同期して、画像形成手段によって形成される第１の観察者用の第１平面画像と第２の観察者用の第２平面画像とが入れ替わるように制御することによって、異なる観察位置に位置する第１の観察者および第２の観察者にそれぞれ異なる第１平面画像および第２平面画像を提供する。このように構成すれば、１／ｎフレーム期間の間では、第１の観察者に画像形成手段の全領域によって形成される第１平面画像を到達させるとともに、第２の観察者に第１平面画像を到達させないようにすることができる。そして、次の１／ｎフレーム期間の間では、第２の観察者に画像形成手段の全領域によって形成される第２平面画像を到達させるとともに、第１の観察者に第２平面画像を到達させないようにすることができる。これにより、少なくとも１フレーム期間の間に、第１の観察者は、画像形成手段の全領域によって形成された第１平面画像を見ることができるとともに、第２の観察者は、画像形成手段の全領域によって形成された第２平面画像を見ることができる。その結果、第１の観察者および第２の観察者は、それぞれ、画像形成手段の全領域によって形成される第１画像および第２画像を観察していると認識するので、第１の観察者および第２の観察者に、それぞれ、画像劣化の少ない異なる平面画像を提供することができる。
【００１９】
上記一の局面による画像表示装置において、好ましくは、１／ｎフレーム期間は、１／２フレーム期間である。このように構成すれば、観察者が連続して画像を見ていると認識する１フレーム期間の間に、観察者の左目に画像形成手段によって形成される第１画像（たとえば、左目用画像）を提供することができるとともに、観察者の右目に画像形成手段によって形成される第２画像（たとえば、右目用画像）を提供することができる。また、観察者が連続して画像を見ていると認識する１フレーム期間の間に、一方の観察者に画像形成手段によって形成される第１画像（たとえば、両目用平面画像）を提供することができるとともに、他方の観察者に画像形成手段によって形成される第２画像（たとえば、両目用平面画像）を提供することができる。
【００２０】
上記一の局面による画像表示装置において、好ましくは、画像形成手段は、液晶表示パネルを含む。このように構成すれば、液晶表示パネルにより、容易に、画像を形成することができる。
【００２１】
上記一の局面による画像表示装置において、好ましくは、画像形成手段と投射レンズとを含むプロジェクタと、画像通過領域制御手段とは、それぞれ、２つずつ設けられている。このように構成すれば、一方の画像形成手段によって形成される第１画像（たとえば、右目用画像）を一方の画像通過領域制御手段を介して観察者の右目へ提供することができるとともに、他方の画像形成手段によって形成される第２画像（たとえば、左目用画像）を他方の画像通過領域制御手段を介して観察者の左目へ提供することができるので、１／ｎフレーム期間毎に、画像形成手段の第１画像および第２画像を入れ替える必要がないとともに、１／ｎフレーム期間毎に、画像通過領域制御手段の透過領域を移動させる必要がない。これにより、画像形成手段および画像通過領域制御手段の制御を複雑化させることなく、観察者に立体画像を提供することができる。
【００２２】
上記一の局面による画像表示装置において、好ましくは、一方のプロジェクタの画像通過領域制御手段を透過した光のうちフレネルレンズの中心を通る光と、他方のプロジェクタの画像通過領域制御手段を透過した光のうちフレネルレンズの中心を通る光とが、実質的に一致するように配置されたハーフミラーをさらに備える。このように構成すれば、一方のプロジェクタの画像通過領域制御手段を透過した光に対応する画像と他方のプロジェクタの画像通過領域制御手段を透過した光に対応する画像とが到達する画像到達領域を一致させることができる。
【００２３】
上記一の局面による画像表示装置において、好ましくは、２つの画像形成手段は、第１画像形成手段と第２画像形成手段とを含み、２つの画像通過領域制御手段は、第１通過制御液晶パネルと第２通過制御液晶パネルとを含み、第１通過制御液晶パネルの透過領域は、観察者の左目に対応する位置に移動されるように制御されるとともに、第２通過制御液晶パネルの透過領域は、観察者の右目に対応する位置に移動されるように制御され、第１画像形成手段は、左目用の第１画像を形成するとともに、第２画像形成手段は右目用の第２画像を形成することによって、観察者に立体画像を提供する。このように構成すれば、容易に、第１通過制御液晶パネルおよび第２通過制御液晶パネルと第１画像形成手段および第２画像形成手段とを用いて、観察者に立体画像を提供することができる。
【００２４】
上記一の局面による画像表示装置において、好ましくは、２つの画像形成手段は、第１画像形成手段と第２画像形成手段とを含み、２つの画像通過領域制御手段は、第１通過制御液晶パネルと第２通過制御液晶パネルとを含み、第１通過制御液晶パネルの透過領域は、第１の観察者の両目に対応する位置に移動されるように制御されるとともに、第２通過制御液晶パネルの透過領域は、第２の観察者の両目に対応する位置に移動されるように制御され、第１画像形成手段は、第１の観察者用の第１平面画像を形成するとともに、第２画像形成手段は第２の観察者用の第２平面画像を形成することによって、異なる観察位置に位置する第１の観察者および第２の観察者にそれぞれ異なる第１平面画像および第２平面画像を提供する。このように構成すれば、容易に、第１通過制御液晶パネルおよび第２通過制御液晶パネルと第１画像形成手段および第２画像形成手段とを用いて、第１の観察者および第２の観察者に平面画像を提供することができる。
【発明を実施するための最良の形態】
【００２５】
以下、本発明を具体化した実施形態を図面に基づいて説明する。
【００２６】
（第１実施形態）
図１は、本発明の第１実施形態による画像表示装置の全体構成を示した概略図である。図２は、図１に示した本発明の第１実施形態による画像表示装置の投射レンズ、画像通過領域制御部およびフレネルレンズ（スクリーン）を示した斜視図である。図３は、図２に示した投射レンズ、画像通過領域制御部およびフレネルレンズにおいて観察者が前方から画像を見た状態を示した平面図である。図４は、図２に示した投射レンズ、画像通過領域制御部およびフレネルレンズにおいて観察者が前方からフレネルレンズを見た状態を示した側面図である。図５は、画像通過領域制御部の通過制御液晶パネルの部分拡大図である。図１〜図５を参照して、本発明の第１実施形態による画像表示装置３０の構成について説明する。
【００２７】
図１および図２に示すように、本発明の第１実施形態による画像表示装置３０は、プロジェクタ１と、画像通過領域制御部２と、スクリーンを構成する単一のフレネルレンズ３と、位置検出部４と、制御部５とを備えている。
【００２８】
プロジェクタ１は、画像を形成するための画像形成部１０と、画像形成部１０によって形成された画像をフレネルレンズ３に投射するための投射レンズ１１ａおよび１１ｂとを備えている。
【００２９】
画像形成部１０は、光源１２と、光源１２からの光を均一にするインテグレータ１３と、光の３原色であるＲＧＢに対応させた３つの液晶表示パネル１４、１５および１６と、液晶表示パネル１４、１５および１６のそれぞれに光源１２からの光を導く２枚のダイクロイックミラー１７および１８と全反射ミラー１９、２０および２１と、３つの液晶表示パネル１４、１５および１６によって形成された３つの画像を合成するためのダイクロイックプリズム２２とを備えている。
【００３０】
図３および図４に示すように、画像通過領域制御部２は、３つの液晶パネル１４、１５および１６によって形成された画像に対応する出射光が、投射レンズ１１ａを透過した後、均一にされる位置である絞りの位置の近傍に配置されている。画像通過領域制御部２は、通過制御液晶パネル２５と、通過制御液晶パネル２５を挟んで対向するように配置された第１偏光板２６および第２偏光板２７とを備えている。
【００３１】
通過制御液晶パネル２５は、図５に示すように、Ａ方向およびＢ方向にマトリックス状に配置され、複数のスポット状の単位領域２５ａと、それぞれの単位領域２５ａを駆動するための複数の電極２５ｂとを備えている。なお、Ａ方向は、本発明の「第１の方向」の一例である。この第１実施形態の通過制御液晶パネル２５では、電極２５ｂに電圧が印加されていない単位領域２５ａは、図３および図４に示すように、画像形成部１０によって形成された画像に対応する光を透過させるためのスポット状の透過領域２５ｃとなる。また、電極２５ｂに電圧が印加された単位領域２５ａは、画像形成部１０によって形成された画像に対応する光を遮光するための遮光領域２５ｄとなる。
【００３２】
第１偏光板２６および第２偏光板２７は、互いに直交する偏光軸を有している。この第１偏光板２６は、第１の偏光軸を有する光を透過させるとともに、第１の偏光軸と実質的に異なる偏光軸を有する光を吸収する機能を有している。また、この第２偏光板２７は、第１の偏光軸と実質的に直交する第２の偏光軸を有する光を透過させるとともに、第２の偏光軸と実質的に異なる偏光軸を有する光を吸収する機能を有している。
【００３３】
すなわち、画像形成部１０によって形成された画像に対応する光は、第１の偏光軸を有するので、この第１の偏光軸を有する光は第１偏光板２６によって透過されて、通過制御液晶パネル２５に入射する。この通過制御液晶パネル２５に入射した光のうち、透過領域２５ｃに入射した光は液晶分子によって偏光軸を９０°変化され、第２偏光板２７に入射する。第２偏光板２７は、第１偏光板２６の偏光軸と直交する偏光軸を有しているので、透過領域２５ｃを透過して入射した光は、第２偏光板２７を透過して、その光に対応する画像が観察者６および７に到達する。一方、第１偏光板２６を透過して、通過制御液晶パネル２５の遮光領域２５ｄに入射した光は、液晶分子によって偏光軸を変えられることなく第２偏光板２７に入射するので、第１偏光板２６の偏光軸と直交する偏光軸を有する第２偏光板２７によって遮光される。
【００３４】
なお、この通過制御液晶パネル２５では、電圧を印加する電極２５ｂの数を制御することによって透過領域２５ｃの幅を変えることができるので、画像の到達する画像到達領域の大きさを任意に変更することが可能である。たとえば、後述する異なる観察者に同時に立体画像を提供する立体画像表示モードでは、透過領域２５ｃを１つの単位領域２５ａにより構成することによって、観察者６（７）の左目６ａ（７ａ）または右目６ｂ（７ｂ）にのみ右目用の画像または左目用の画像を到達させることが可能である。また、異なる平面画像を異なる観察者に提供する２画面表示モードでは、透過領域２５ｃをＡ方向に並ぶ２つの単位領域２５ａにより構成することによって、画像到達領域をＡ方向に広げることができるので、観察者６の両目６ａおよび６ｂ（観察者７の両目７ａおよび７ｂ）に同時に平面画像を到達させることが可能である。これにより、通過制御液晶パネル２５の印加される電極２５ｂの数を制御することにより、容易に、後述する立体画像表示モードと、２画面表示モードとを切り換えることが可能である。
【００３５】
フレネルレンズ３は、画像通過領域制御部２の通過制御液晶パネル２５の透過領域２５ｃを通過した光に対応する画像が結像されるスクリーンを構成するとともに、観察者６（７）の左目６ａ（７ａ）または右目６ｂ（７ｂ）の少なくとも一方に向かって画像に対応する光を集光するためのものである。
【００３６】
位置検出部４は、図１に示すように、観察者６の左右の目６ａおよび６ｂ（観察者７の左右の目７ａおよび７ｂ）の位置を検出し、その位置情報を制御部５に送る。制御部５は、位置検出部４によって送られた観察者６の左右の目６ａおよび６ｂ（観察者７の左右の目７ａおよび７ｂ）の位置情報に基づいて、通過制御液晶パネル２５の透過領域２５ｃと遮光領域２５ｄとを制御する。すなわち、立体画像表示モードでは、制御部５は、位置検出部４からの位置情報に基づいて、観察者６の左目６ａまたは右目６ｂ（観察者７の左目７ａまたは右目７ｂ）に画像に対応する光が到達するように通過制御液晶パネル２５の電極２５ｂに電圧を印加することにより、通過制御液晶パネル２５に透過領域２５ｃを形成する。また、２画面表示モードでは、制御部５は、位置検出部４からの位置情報に基づいて、観察者６の両目６ａおよび６ｂまたは観察者７の両目７ａおよび７ｂに画像に対応する光が到達するように通過制御液晶パネル２５の電極２５ｂに電圧を印加することにより、通過制御液晶パネル２５に透過領域２５ｃを形成する。
【００３７】
（立体画像表示モード）
図６は、図１に示した本発明の第１実施形態による画像表示装置の立体画像表示モードにおいて画像形成部が形成する画像と通過制御液晶パネルとの関係を示した図である。図７は、図１に示した本発明の第１実施形態による画像表示装置の立体画像表示モードにおいて観察者が前方からフレネルレンズを見た状態を示した平面図である。次に、図３、図４、図６および図７を参照して、本発明の第１実施形態の画像表示装置による異なる観察位置に位置する観察者６および７に立体画像を提供する立体画像表示モードについて説明する。なお、観察者６および７は、図３および図４に示すように、Ａ方向（水平方向）およびＢ方向（垂直方向）に所定の距離を隔てた異なる観察位置に位置するものとする。
【００３８】
まず、図３、図５、図６および図７を参照して、異なる観察位置に位置する観察者６および７に立体画像を提供するための通過制御液晶パネル２５および画像形成部１０の構成について説明する。この立体画像表示モードでは、図５および図６に示すように、通過制御液晶パネル２５の１つの単位領域２５ａからなる２つの透過領域２５ｃを形成する。これにより、図３および図７に示すように、画像到達領域を観察者６（７）の左目６ａ（７ａ）または右目６ｂ（７ｂ）の近傍のみにすることができるので、透過領域２５ｃを透過した画像に対応する光が観察者６（７）の左目６ａ（７ａ）または右目６ｂ（７ｂ）の一方にのみ入射し、観察者６（７）の左目６ａ（７ａ）または右目６ｂ（７ｂ）の他方には入射しないようにすることができる。
【００３９】
また、図６に示すように、立体画像表示モードでは、画像形成部１０により形成される画像の１／２フレーム期間（１／１２０秒）毎に、制御部５が通過制御液晶パネル２５の電極２５ｂの駆動を制御することによって、透過領域２５ｃが移動されるように制御される。また、画像形成部１０は、通過制御液晶パネル２５の透過領域２５ｃの移動と同期して、画像形成部１０の１／２フレーム期間（１／１２０秒）毎に、観察者６（７）の左目６ａ（７ａ）に入射させるための左目用画像Ｌ１と、観察者６（７）の右目６ｂ（７ｂ）に入射させるための右目用画像Ｒ１とが入れ替わるように制御される。なお、左目用画像Ｌ１は、本発明の「第１画像」の一例であり、右目用画像Ｒ１が本発明の「第２画像」の一例である。
【００４０】
上記構成において、立体画像を表示する際には、０／１２０秒〜１／１２０秒の間では、図３および図４に示すように、画像形成部１０の全領域によって形成された左目用画像Ｌ１に対応する光は、第１の偏光軸を有するので、投射レンズ１１ａを透過した後、第１偏光板２６を透過する。第１偏光板２６を透過した光のうち、通過制御液晶パネル２５の透過領域２５ｃに入射した光は偏光軸を９０°変えられて、第２の偏光軸を有する光に変換される。また、この０／１２０秒〜１／１２０秒の間では、透過領域２５ｃは、観察者６および７の左目６ａおよび７ａに対応する位置に配置されている。したがって、透過領域２５ｃを透過した光は、第１偏光板２６が有する第１の偏光軸と９０°異なる第２の偏光軸を有する第２偏光板２７を透過した後、投射レンズ１１ｂを透過する。これにより、観察者６および７の左目６ａおよび７ａには、画像形成部１０の全領域によって形成されてフレネルレンズ３によって集光された左目用画像Ｌ１に対応する光が入射する。一方、第１偏光板２６を透過した光のうち遮光領域２５ｄに入射した光は、通過制御液晶パネル２５によって偏光軸を変えられることなく第１の偏光軸を有したまま第２偏光板２７に入射するので、第２偏光板２７によって遮光される。したがって、遮光領域２５ｄに入射した光は、観察者６および７が位置する観察位置に到達することはないので、観察者６および７の右目６ｂおよび７ｂに左目用画像Ｌ１が入射することはない。
【００４１】
そして、立体画像表示をする際の１／１２０秒〜２／１２０秒の間では、図３および図６に示した通過制御液晶パネル２５の透過領域２５ｃの位置は、制御部５によって、図６および図７に示すように、観察者６および７の右目６ｂおよび７ｂに対応する位置に移動される。そして、図６に示すように、画像形成部１０の全領域によって右目用画像Ｒ１が形成される。そして、画像形成部１０の全領域によって形成された右目用画像Ｒ１に対応する光は、第１の偏光軸を有するので、投射レンズ１１ａを透過した後、第１偏光板２６を透過する。第１偏光板２６を透過した光のうち、通過制御液晶パネル２５の透過領域２５ｃに入射した光は偏光軸を９０°変えられて、第２の偏光軸を有する光に変換される。また、この１／１２０秒〜２／１２０秒の間では、透過領域２５ｃは、観察者６および７の右目６ｂおよび７ｂに対応する位置に移動されている。したがって、透過領域２５ｃを透過した光は、第１偏光板２６が有する第１の偏光軸と９０°異なる第２の偏光軸を有する第２偏光板２７を透過した後、投射レンズ１１ｂを透過する。これにより、観察者６および７の右目６ｂおよび７ｂには、画像形成部１０の全領域によって形成されてフレネルレンズ３によって集光された右目用画像Ｒ１に対応する光が入射する。一方、第１偏光板２６を透過した光のうち遮光領域２５ｄに入射した光は、通過制御液晶パネル２５によって偏光軸を変えられることなく第１の偏光軸を有したまま第２偏光板２７に入射するので、第２偏光板２７によって遮光される。したがって、遮光領域２５ｄに入射した光は、観察者６および７が位置する観察位置に到達することはないので、観察者６および７の左目６ａおよび７ａに右目用画像Ｒ１が入射することはない。
【００４２】
また、立体画像を表示する際の２／１２０秒〜３／１２０秒の間では、図３に示す０／１２０秒〜１／１２０秒の間と同様に、観察者６および７の左目６ａおよび７ａに左目用画像Ｌ１が入射するとともに、観察者６および７の右目６ｂおよび７ｂに左目用画像Ｌ１が入射しない。そして、立体画像を表示する際の３／１２０秒〜４／１２０秒の間では、図７に示す１／１２０秒〜２／１２０秒の間と同様に、観察者６および７の右目６ｂおよび７ｂに右目用画像Ｒ１が入射するとともに、観察者６および７の左目６ａおよび７ａに右目用画像Ｒ１が入射しない。この後も、１／６０秒（２／１２０秒）毎に同様の動作が繰り返される。これにより、１フレーム期間（２／１２０秒（１／６０秒））の間に、観察者６および７の左目６ａおよび７ａは左目用画像Ｌ１を見ることができるとともに、観察者６および７の右目６ｂおよび７ｂは右目用画像Ｒ１を見ることができる。その結果、観察者６（７）の左目６ａ（７ａ）および右目６ｂ（７ｂ）は、画像形成部１０の全領域によって形成されてフレネルレンズ３に表示される左目用画像Ｌ１および右目用画像Ｒ１を連続して観察していると認識するので、観察者６および７は、画像劣化の少ない立体画像を見ることが可能になる。
【００４３】
（２画面表示モード）
図８は、図１に示した本発明の第１実施形態による画像表示装置の２画面表示モードにおいて画像形成部が形成する画像と通過制御液晶パネルの状態とを示した図である。図９および図１１は、図１に示した本発明の第１実施形態による画像表示装置の２画面表示モードにおいて観察者が前方から画像を見た状態を示した平面図である。図１０および図１２は、図１に示した本発明の第１実施形態による画像表示装置の２画面表示モードにおいて観察者が前方から画像を見た状態を示した側面図である。次に、図８〜図１２を参照して、本発明の第１実施形態の画像表示装置３０を用いて、異なる観察位置に位置する異なる観察者６および７に異なる平面画像を提供する２画面表示モードについて説明する。なお、観察者６および７は、図９および図１０に示すように、Ａ方向（水平方向）およびＢ方向（垂直方向）に所定の距離を隔てた異なる観察位置に位置するものとする。
【００４４】
まず、図５、図８、図９および図１１を参照して、異なる観察位置に位置する観察者６および７に異なる平面画像を提供するための通過制御液晶パネル２５および画像形成部１０の構成について説明する。この２画面表示モードでは、図５および図８に示すように、通過制御液晶パネル２５のＡ方向に並ぶ２つの単位領域２５ａからなる透過領域２５ｃを形成する。これにより、画像が到達する領域を、図９および図１１に示すように、各観察者６（７）の両目６ａおよび６ｂ（７ａおよび７ｂ）の近傍のみにすることができるので、透過領域２５ｃを透過した画像に対応する光が、一方の観察者６（７）の両目６ａおよび６ｂ（７ａおよび７ｂ）にのみ到達し、他方の観察者７（６）の両目７ａおよび７ｂ（６ａおよび６ｂ）には到達しないようにすることができる。
【００４５】
また、図８に示すように、２画面表示モードでは、画像形成部１０により形成される画像の１／２フレーム期間（１／１２０秒）毎に、制御部５が通過制御液晶パネル２５の電極２５ｂの駆動を制御することによって、透過領域２５ｃが移動されるように制御される。また、画像形成部１０は、通過制御液晶パネル２５の透過領域２５ｃの移動と同期して、画像形成部１０の１／２フレーム期間（１／１２０秒）毎に、一方の観察者６の両目６ａおよび６ｂに入射させるための第１平面画像Ｓ１と、他方の観察者７の両目７ａおよび７ｂに入射させるための第２平面画像Ｓ２とが入れ替わるように制御される。
【００４６】
上記構成において、２画面の平面画像を表示する際には、まず、０／１２０秒〜１／１２０秒の間では、図９および図１０に示すように、画像形成部１０の全領域によって形成された観察者６のための第１平面画像Ｓ１に対応する光は、第１の偏光軸を有するので、投射レンズ１１ａを透過した後、第１偏光板２６も透過する。第１偏光板２６を透過した光のうち、通過制御液晶パネル２５の透過領域２５ｃに入射した光は偏光軸を９０°変えられて、第２の偏光軸を有する光に変換される。また、この０／１２０秒〜１／１２０秒の間では、透過領域２５ｃは、観察者６の両目６ａおよび６ｂに対応する位置に配置されている。したがって、透過領域２５ｃを透過した光は、第１偏光板２６が有する第１の偏光軸と９０°異なる第２の偏光軸を有する第２偏光板２７を透過した後、投射レンズ１１ｂを透過する。これにより、観察者６の両目６ａおよび６ｂには、画像形成部１０の全領域によって形成されてフレネルレンズ３によって集光された第１平面画像Ｓ１が入射する。一方、第１偏光板２６を透過した光のうち遮光領域２５ｄに入射した光は、通過制御液晶パネル２５によって偏光軸を変えられることなく第１の偏光軸を有したまま第２偏光板２７に入射するので、第２偏光板２７によって遮光される。したがって、遮光領域２５ｄに入射した光は、観察者７が位置する観察位置に到達することはないので、観察者７の両目７ａおよび７ｂに第１平面画像Ｓ１が入射することはない。
【００４７】
そして、２画面の平面画像を表示する際の１／１２０秒〜２／１２０秒の間では、図８〜図１０に示した通過制御液晶パネル２５の透過領域２５ｃの位置が、図８、図１１および図１２に示すように、制御部５によって、観察者７の両目７ａおよび７ｂの位置に対応する位置に移動されるともに、図８に示すように、画像形成部１０の全領域によって観察者７のための第２平面画像Ｓ２が形成される。そして、画像形成部１０によって形成された第２平面画像Ｓ２に対応する光は、第１の偏光軸を有するので、投射レンズ１１ａを透過した後、第１偏光板２６を透過する。第１偏光板２６を透過した光のうち、通過制御液晶パネル２５の透過領域２５ｃに入射した光は偏光軸を９０°変えられて、第２の偏光軸を有する光に変換される。また、この１／１２０秒〜２／１２０秒の間では、透過領域２５ｃは、観察者７の両目７ａおよび７ｂの位置に対応する位置に移動されている。したがって、透過領域２５ｃを透過した光は、第１偏光板２６が有する第１の偏光軸と９０°異なる第２の偏光軸を有する第２偏光板２７を透過した後、投射レンズ１１ｂを透過する。これにより、観察者７の両目７ａおよび７ｂには、画像形成部１０の全領域によって形成されてフレネルレンズ３によって集光された第２平面画像Ｓ２が入射する。一方、第１偏光板２６を透過した光のうち遮光領域２５ｄに入射した光は、通過制御液晶パネル２５によって偏光軸を変えられることなく第１の偏光軸を有したまま第２偏光板２７に入射するので、第２偏光板２７によって遮光される。したがって、遮光領域２５ｄに入射した光は、観察者６が位置する観察位置に到達することはないので、観察者６の両目６ａおよび６ｂに第２平面画像Ｓ２が入射することはない。
【００４８】
また、２画面の平面画像を表示する際の２／１２０秒〜３／１２０秒の間では、図９および図１０に示す０／１２０秒〜１／１２０秒の間と同様に、観察者６の両目６ａおよび６ｂには画像形成部１０の全領域によって形成された第１平面画像Ｓ１が入射するとともに、観察者７の両目７ａおよび７ｂには第１平面画像Ｓ１が入射しない。そして、２画面の平面画像を表示する際の３／１２０秒〜４／１２０秒の間では、図１１および図１２に示す１／１２０秒〜２／１２０秒の間と同様に、観察者７の両目７ａおよび７ｂには画像形成部１０の全領域によって形成された第２平面画像Ｓ２が入射するとともに、観察者６の両目６ａおよび６ｂには第２平面画像Ｓ２が入射しない。この後も、１／６０秒（２／１２０秒）毎に同様の動作が繰り返される。これにより、１フレーム期間（２／１２０秒（１／６０秒））の間に、観察者６は、画像形成部１０の全領域によって形成された第１平面画像Ｓ１を見ることができるとともに、観察者７は、画像形成部１０の全領域によって形成された第２平面画像Ｓ２を見ることができる。その結果、１フレーム期間（２／１２０秒（１／６０秒））の間に、観察者６および７は、それぞれ、画像形成部１０の全領域によって形成されてフレネルレンズ３に表示される第１平面画像Ｓ１および第２平面画像Ｓ２を観察していると認識することになるので、観察者６および７に画像劣化の少ない異なる平面画像を提供することが可能になる。
【００４９】
（視野角限定モード）
図１３は、図１に示した本発明の第１実施形態による画像表示装置の視野角限定モードにおいて観察者が前方から画像を見た状態を示した平面図である。次に、図１３を参照して、本発明の第１実施形態による画像表示装置１の平面画像を表示する際の視野角限定方法について説明する。
【００５０】
まず、図１３を参照して、観察者６が位置する領域のみに画像を提供するための通過制御液晶パネル２５の構成について説明する。この視野角限定モードでは、図１３に示すように、通過制御液晶パネル２５のＡ方向に並ぶ２つの単位領域２５ａ（図５参照）からなる通過領域２５ｃを形成する。これにより、画像が到達する領域を、図１３に示すように、観察者６の両目６ａおよび６ｂの近傍のみにすることができるので、透過領域２５ｃを透過した画像に対応する光が、観察者６の両目６ａおよび６ｂにのみ到達し、他の領域には到達しないようにすることができる。
【００５１】
上記構成において、視野角を限定する際には、画像形成部１０の全領域によって形成された観察者６のための平面画像に対応する光は、第１の偏光軸を有するので、投射レンズ１１ａを透過した後、第１偏光板２６を透過する。第１偏光板２６を透過した光のうち、通過制御液晶パネル２５の透過領域２５ｃに入射した光は偏光軸を９０°変えられて、第２の偏光軸を有する光に変換される。この視野角限定モードでは、透過領域２５ｃは、観察者６の両目６ａおよび６ｂに対応する位置に配置されている。したがって、透過領域２５ｃを透過した光は、第１偏光板２６が有する第１の偏光軸と９０°異なる第２の偏光軸を有する第２偏光板２７を透過した後、投射レンズ１１ｂを透過する。これにより、観察者６の両目６ａおよび６ｂには、画像形成部１０によって形成されてフレネルレンズ３によって集光された平面画像が入射する。一方、第１偏光板２６を透過した光のうち遮光領域２５ｄに入射した光は、通過制御液晶パネル２５によって偏光軸を変えられることなく第１の偏光軸を有したまま第２偏光板２７に入射するので、第２偏光板２７によって遮光される。したがって、観察者６が画像を観察する視野角を制限することができるので、他の観察者に観察者６が観察する平面画像を見られるのを防止することが可能となる。
【００５２】
（第１実施形態の効果）
第１実施形態では、上記のように、画像形成部１０によって形成されて投射レンズ１１ａを通過した画像に対応する光を透過させる透過領域２５ｃを含む通過制御液晶パネル２５を設けるとともに、その通過制御液晶パネル２５の透過領域２５ｃを通過した画像に対応する光を観察者６（７）の左目６ａ（７ａ）または右目６ｂ（７ｂ）の少なくとも一方に向かって集光するとともに、スクリーンを構成する単一のフレネルレンズ３を設けることによって、観察者６（７）の両目６ａおよび６ｂ（７ａおよび７ｂ）に到達する画像を、両目視差を有する左目用画像Ｌ１および右目用画像Ｒ１にすれば、観察者６（７）に立体画像（３次元画像）を提供することができる。また、スクリーンを単一のフレネルレンズ３のみから構成することによって、スクリーンの構成を簡略化することができるとともに、スクリーンの厚みを小さくすることができる。これにより、画像表示装置３０を小型化することができる。また、３つの液晶パネル１４、１５および１６によって形成された画像に対応する出射光が、投射レンズ１１ａを透過した後、均一にされる位置である絞りの位置の近傍に、通過制御液晶パネル２５を配置することによって、通過制御液晶パネル２５を投射レンズよりも小さくすることができる。これにより、通過制御液晶パネル２５を小型化することができるので、これによっても、画像表示装置３０の小型化を図ることができる。
【００５３】
また、通過制御液晶パネル２５を挟むように２枚の偏光板２６および２７を配置することにより、容易に、通過制御液晶パネル２５の透過領域２５ｃを通過する画像に対応する光のみを観察者６および７に到達させることができるとともに、通過制御液晶パネル２５の遮光領域２５ｄを通過しようとする画像に対応する光を遮光することができる。
【００５４】
また、位置検出部４と制御部５とを設けることによって、観察者６および７の移動を位置検出部４により検出するとともに、その位置情報に基づいて、制御部５が通過制御液晶パネル２５の透過領域２５ｃと遮光領域２５ｄとを移動させることができるので、観察者６および７が移動した場合にも、観察者６および７に適切な画像を提供することができる。
【００５５】
また、通過制御液晶パネル２５に、複数の電極２５ｂをマトリックス状に設けるとともに、制御部５により、この複数の電極２５ｂの駆動を制御することによって、通過制御液晶パネル２５の透過領域２５ｃのＡ方向の長さを変化させることができる。したがって、透過領域２５ｃを複数の電極２５ｂにより構成する場合に、Ａ方向における印加状態の電極２５ｂの数を増加または減少させることにより、容易に、透過領域２５ｃのＡ方向の長さを変化させることができる。これにより、１つの通過制御液晶パネル２５を用いて、容易に、画像形成部１０により形成された画像の到達領域のＡ方向の長さを変化させることができるので、容易に、観察者６（７）の左目６ａ（７ａ）または右目６ｂ（７ｂ）の一方に立体画像の左目用画像Ｌ１または右目用画像Ｒ１を到達させる立体画像表示モードと、観察者６の両目６ａおよび６ｂと観察者７の両目７ａおよび７ｂとに異なる第１平面画像Ｓ１および第２平面画像Ｓ２を到達させる２画面表示モードとに切り換えることができる。その結果、１つの通過制御液晶パネル２５を用いて、容易に、観察者６および７に立体画像および平面画像の両方を提供することができる。また、画像の到達領域のＡ方向の長さを変化させることができるので、観察者６が見ることが可能な領域を小さくすることができる。これにより、観察者６が画像を見る視野角を制限することができるので、観察者が見ている画像を他の観察者に見られるのを抑制することができる。
【００５６】
また、通過制御液晶パネル２５の透過領域２５ｃをスポット状に形成することによって、通過制御液晶パネル２５の透過領域２５ｃを透過する画像が到達する画像到達領域を小さくすることができるので、容易に、観察者６（７）の左目６ａ（７ａ）または右目６ｂ（７ｂ）の一方のみに、左目用画像Ｌ１または右目用画像Ｒ１を到達させることができる。
【００５７】
（第２実施形態）
図１４は、本発明の第２実施形態による画像表示装置において、観察者が前方からフレネルレンズを見た状態を示した側面図である。図１５は、画像通過領域制御部の通過制御液晶パネルの部分拡大図である。図１６は、第２実施形態の立体画像表示モードにおいて第１画像形成部および第２画像形成部が形成する画像と第１通過制御液晶パネルおよび第２通過制御液晶パネルの状態とを示した図である。図１７および図１８は、第２実施形態の立体画像表示モードにおいて観察者が前方から画像を見た状態を示した平面図である。図１９は、第２実施形態の２画面表示モードにおいて第１画像形成部および第２画像形成部が形成する画像と第１通過制御液晶パネルおよび第２通過制御液晶パネルの状態とを示した図である。図２０および図２１は、第２実施形態の２画面表示モードにおいて一方または他方の観察者が前方から画像を見た状態を示した平面図である。まず、図１４を参照して、この第２実施形態では、上記第１実施形態とは異なり、プロジェクタおよび画像通過領域制御部をそれぞれ２台ずつ含む画像表示装置６０について説明する。
【００５８】
図１４に示すように、この第２実施形態による画像表示装置６０は、２台の第１プロジェクタ３１および第２プロジェクタ３２と、２つの第１画像通過領域制御部３３および第２画像通過領域制御部３４と、ハーフミラー３５と、スクリーンを構成するフレネルレンズ３６と、位置検出部３７と、制御部３８とを備えている。
【００５９】
第１プロジェクタ３１は、第１画像形成部４０と、第１投射レンズ４２ａおよび４２ｂとを備えている。また、第２プロジェクタ３２は、第２画像形成部４１と、第２投射レンズ４３ａおよび４３ｂとを備えている。第１画像形成部４０および第２画像形成部４１と、第１投射レンズ４２ａ（４２ｂ）および第２投射レンズ４３ａ（４３ｂ）とは、それぞれ、第１実施形態の画像形成部１０および投射レンズ１１ａ（１１ｂ）（図１参照）と同様の構成を有する。第１プロジェクタ３１は、図１４のＣ方向に向けて画像が出射されるように配置されるとともに、第２プロジェクタ３２は、図１４のＣ方向と直交するＤ方向に向けて画像が出射されるように配置されている。また、立体画像表示モードでは、図１６に示すように、第１プロジェクタ３１の第１画像形成部４０は、左目用画像Ｌ２を形成し、第２プロジェクタ３２の第２画像形成部４１は、右目用画像Ｒ２を形成する。一方、２画面表示モードでは、図１９に示すように、第１プロジェクタ３１の第１画像形成部４０は、観察者６用の第１平面画像Ｓ３を形成し、第２プロジェクタ３２の第２画像形成部４１は、観察者７用の第２平面画像Ｓ４を形成する。
【００６０】
また、図１４に示すように、第１画像通過領域制御部３３は、第１通過制御液晶パネル４５と、第１偏光板４６と、第２偏光板４７とを含んでいる。また、第２画像通過領域制御部３４は、第２通過制御液晶パネル４８と、第１偏光板４９と、第２偏光板５０とを含んでいる。なお、第１偏光板４６および４９は、第１実施形態の第１偏光板２６（図１参照）と同じ構成を有し、第２偏光板４７および５０は、第１実施形態の第２偏光板２７（図１参照）と同じ構成を有する。
【００６１】
図１５に示すように、第１通過制御液晶パネル４５（第２通過制御液晶パネル４８）は、Ｅ方向（Ｇ方向）に延びるとともに、Ｆ方向に隣接する液晶を含むスリット状の複数の単位領域４５ａ（４８ａ）と、それぞれの単位領域４５ａ（４８ａ）を駆動するための複数の電極４５ｂ（４８ｂ）とを備えている。なお、Ｅ方向は、本発明の「第２の方向」の一例である。この第２実施形態の第１通過制御液晶パネル４５（第２通過制御液晶パネル４８）では、電極４５ｂ（４８ｂ）に電圧が印加されていない単位領域４５ａ（４８ａ）は、図１６〜図１８に示すように、画像形成部４０（４１）によって形成された画像に対応する光を透過させるための、スリット状の透過領域４５ｃ（４８ｃ）となる。また、電極４５ｂ（４８ｂ）に電圧が印加された単位領域４５ａ（４８ａ）は、画像形成部４０（４１）によって形成された画像に対応する光を遮光するための遮光領域４５ｄ（４８ｄ）となる。すなわち、画像に対応する光が、透過領域４５ｃ（４８ｃ）を透過して、観察者６および７の位置する観察位置に到達すると、図１４に示すように、その画像到達領域７０は、Ｅ方向に延びるスリット状に形成される。したがって、透過領域４５ｃ（４８ｃ）を移動させなくても、観察者６および７は、このスリット状の画像到達領域７０内であれば、自由にＥ方向に移動して画像を観察することができる。
【００６２】
また、立体画像表示モードでは、各透過領域４５ｃ（４８ｃ）は、観察者６（７）の左目６ａ（７ａ）または右目６ｂ（７ｂ）の幅に対応して１つのスリット状の単位領域４５ａ（４８ａ）により構成される。一方、２画面表示モードでは、各透過領域４５ｃ（４８ｃ）は、観察者６（７）の両目６ａおよび６ｂ（７ａおよび７ｂ）の幅に対応して２つのスリット状の単位領域４５ａ（４８ａ）により構成される。
【００６３】
立体画像表示モードでは、位置検出部３７は、観察者６（７）の左目６ａ（７ａ）または右目６ｂ（７ｂ）の位置を検出してその位置情報を制御部３８に送る。そして、制御部３８は、図１６および図１７に示すように、観察者６（７）の左目６ａ（７ａ）の位置に対応する透過領域４５ｃを第１通過制御液晶パネル４５に形成し、かつ、図１６および図１８に示すように、観察者６（７）の右目６ｂ（７ｂ）の位置に対応する透過領域４８ｃを第２通過制御液晶パネル４８に形成する。一方、２画面表示モードでは、位置検出部３７は、観察者６の両目６ａおよび６ｂと観察者７の両目７ａおよび７ｂとの位置を検出してその位置情報を制御部３８に送る。そして制御部３８は、その位置情報に基づいて、図１９および図２０に示すように、観察者６の両目６ａおよび６ｂに対応する透過領域４５ｃを第１通過制御液晶パネル４５に形成するとともに、図１９および図２１に示すように、観察者７の両目７ａおよび７ｂに対応する透過領域４８ｃを第２通過制御液晶パネル４８に形成する。
【００６４】
ハーフミラー３５は、図１４に示すように、Ｃ方向およびＤ方向に対して４５°傾いた状態で配置され、第１プロジェクタ３１から出射された光を透過するとともに、第２プロジェクタ３２から出射された光を反射する。そして、第１プロジェクタ３１から出射した光のうちフレネルレンズ３６の中心を通る光と、第２プロジェクタ３２から出射してハーフミラー３５によって反射された光のうちフレネルレンズ３６の中心を通る光とが、実質的に一致するようにハーフミラー３５が配置されている。
【００６５】
（立体画像表示モード）
次に、図１４および図１６〜図１８を参照して、本発明の第２実施形態の画像表示装置による異なる観察位置に位置する観察者６および７に立体画像を提供する立体画像表示モードについて説明する。
【００６６】
上記構成において、立体画像を表示する際には、図１４、図１６および図１７に示すように、第１プロジェクタ３１の第１画像形成部４０によって形成された左目用画像Ｌ２に対応する光は、第１の偏光軸を有するので、第１投射レンズ４２ａを透過した後、第１画像通過領域制御部３３の第１偏光板４６を透過する。第１画像通過領域制御部３３の第１偏光板４６を透過した光のうち、第１通過制御液晶パネル４５の透過領域４５ｃに入射した光は偏光軸を９０°変えられて、第２の偏光軸を有する光に変換される。また、第１通過制御液晶パネル４５の透過領域４５ｃは、観察者６および７の左目６ａおよび７ａに対応する位置に配置されている。したがって、第１通過制御液晶パネル４５の透過領域４５ｃを透過した光は、第１偏光板４６が有する第１の偏光軸と９０°異なる第２の偏光軸を有する第２偏光板４７を透過した後、第１投射レンズ４２ｂを透過する。これにより、観察者６および７の左目６ａおよび７ａには、フレネルレンズ３６によって集光された左目用画像Ｌ２に対応する光が入射する。一方、第１偏光板４６を透過した光のうち遮光領域４５ｄに入射した光は、第１通過制御液晶パネル４５によって偏光軸を変えられることなく第１の偏光軸を有したまま第２偏光板４７に入射するので、第２偏光板４７によって遮光される。したがって、遮光領域４５ｄに入射した光は、観察者６および７が位置する観察位置に到達することはないので、観察者６および７の右目６ｂおよび７ｂに左目用画像Ｌ２が入射することはない。
【００６７】
そして、図１４、図１６および図１８に示すように、第２プロジェクタ３２の第２画像形成部４１によって形成された右目用画像Ｒ２に対応する光は、第１の偏光軸を有するので、第２投射レンズ４３ａを透過した後、第２画像通過領域制御部３４の第１偏光板４９を透過する。第２画像通過領域制御部３４の第１偏光板４９を透過した光のうち、第２通過制御液晶パネル４８の透過領域４８ｃに入射した光は偏光軸を９０°変えられて、第２の偏光軸を有する光に変換される。また、第２通過制御液晶パネル４８の透過領域４８ｃは、観察者６および７の右目６ｂおよび７ｂに対応する位置に配置されている。したがって、第２通過制御液晶パネル４８の透過領域４８ｃを透過した光は、第１偏光板４９が有する第１の偏光軸と９０°異なる第２の偏光軸を有する第２偏光板５０を透過した後、第２投射レンズ４３ｂを透過する。その後、その透過した光はハーフミラー３５によりフレネルレンズ３６側に反射される。そして、観察者６および７の右目６ｂおよび７ｂには、フレネルレンズ３６によって集光された右目用画像Ｒ２に対応する光が入射する。一方、第１偏光板４９を透過した光のうち遮光領域４８ｄに入射した光は、第２通過制御液晶パネル４８によって偏光軸を変えられることなく第１の偏光軸を有したまま第２偏光板５０に入射するので、第２偏光板５０によって遮光される。したがって、遮光領域４８ｄに入射した光は、観察者６および７が位置する観察位置に到達することはないので、観察者６および７の左目６ａおよび７ａに右目用画像Ｒ２が入射することはない。
【００６８】
（２画面表示モード）
次に、図１４および図１９〜図２１を参照して、本発明の第２実施形態の画像表示装置６０による、異なる観察位置に位置する異なる観察者に異なる平面画像を提供する２画面表示モードについて説明する。
【００６９】
上記構成において、２画面の平面画像を表示する際には、図１４、図１９および図２０に示すように、第１プロジェクタ３１の第１画像形成部４０によって形成された第１平面画像Ｓ３に対応する光は、第１の偏光軸を有するので、第１投射レンズ４２ａを透過した後、第１画像通過領域制御部３３の第１偏光板４６を透過する。第１画像通過領域制御部３３の第１偏光板４６を透過した光のうち、第１通過制御液晶パネル４５の透過領域４５ｃに入射した光は、偏光軸を９０°変えられて、第２の偏光軸を有する光に変換される。また、第１通過制御液晶パネル４５の透過領域４５ｃは、観察者６の両目６ａおよび６ｂの位置に対応する位置に配置されている。したがって、第１通過制御液晶パネル４５の透過領域４５ｃを透過した光は、第１偏光板４６が有する第１の偏光軸と９０°異なる第２偏光板４７を透過した後、第１投射レンズ４２ｂを透過する。これにより、観察者６の両目６ａおよび６ｂには、フレネルレンズ３６によって集光された第１平面画像Ｓ３に対応する光が入射する。一方、第１偏光板４６を透過した光のうち遮光領域４５ｄに入射した光は、第１通過制御液晶パネル４５によって偏光軸を変えられることなく第１の偏光軸を有したまま第２偏光板４７に入射するので、第２偏光板４７によって遮光される。したがって、遮光領域４５ｄに入射した光は、観察者７が位置する観察位置に到達することはないので、観察者７の両目７ａおよび７ｂに第１平面画像Ｓ３が入射することはない。
【００７０】
また、２画面の平面画像を表示する際には、図１４、図１９および図２１に示すように、第２プロジェクタ３２の第２画像形成部４１によって形成された第２平面画像Ｓ４に対応する光は、第１の偏光軸を有するので、第２投射レンズ４３ａを透過した後、第２画像通過領域制御部３４の第１偏光板４９を透過する。第２画像通過領域制御部３４の第１偏光板４９を透過した光のうち、第２通過制御液晶パネル４８の透過領域４８ｃに入射した光は、偏光軸を９０°変えられて、第２の偏光軸を有する光に変換される。また、第２通過制御液晶パネル４８の透過領域４８ｃは、観察者７の両目７ａおよび７ｂの位置に対応する位置に配置されている。したがって、第２通過制御液晶パネル４８の透過領域４８ｃを透過した光は、第１偏光板４９が有する第１の偏光軸と９０°異なる第２偏光板５０を透過した後、第２投射レンズ４３ｂを透過する。その後、その透過した光は、ハーフミラー３５によりフレネルレンズ３６側に反射される。そして、観察者７の両目７ａおよび７ｂには、フレネルレンズ３６によって集光された第２平面画像Ｓ４に対応する光が入射する。一方、第１偏光板４９を透過した光のうち遮光領域４８ｄに入射した光は、第２通過制御液晶パネル４８によって偏光軸を変えられることなく第１の偏光軸を有したまま第２偏光板５０に入射するので、第２偏光板５０によって遮光される。したがって、遮光領域４８ｄに入射した光は、観察者６が位置する観察位置に到達することはないので、観察者６の両目６ａおよび６ｂに第２平面画像Ｓ４が入射することはない。
【００７１】
（第２実施形態の効果）
第２実施形態では、上記のように、画像表示装置６０を、第１プロジェクタ３１および第２プロジェクタ３２と、第１画像通過領域制御部３３および第２画像通過領域制御部３４とを含むように構成することによって、立体画像表示モードにおいて、第１画像形成部４０によって形成される左目用画像Ｌ２を、第１画像通過領域制御部３３を介して観察者６および７の左目６ａおよび７ａへ提供することができるとともに、第２画像形成部４１によって形成される右目用画像Ｒ２を第２画像通過領域制御部３４を介して観察者６および７の右目６ｂおよび７ｂへ提供することができる。これにより、上記した第１実施形態と異なり、１／６０フレーム期間毎に、第１画像形成部４０および第２画像形成部４１の左目用画像Ｌ２および右目用画像Ｒ２を入れ替える必要がないとともに、１／６０フレーム期間毎に、第１画像通過領域制御部３３および第２画像通過領域制御部３４の透過領域４５ｃおよび４８ｃを移動させる必要がない。これにより、第１画像形成部４０および第２画像形成部４１と、第１画像通過領域制御部３３および第２画像通過領域制御部３４との制御を複雑化させることなく、観察者６および７に立体画像を提供することができる。
【００７２】
また、第２実施形態では、２画面表示モードにおいて、第１画像形成部４０によって形成される第１平面画像Ｓ３を第１画像通過領域制御部３３を介して観察者６の両目６ａおよび６ｂへ提供することができるとともに、第２画像形成部４１によって形成される第２平面画像Ｓ４を第２画像通過領域制御部３４を介して観察者７の両目７ａおよび７ｂへ提供することができるので、１／６０フレーム期間毎に、第１画像形成部４０および第２画像形成部４１の第１平面画像Ｓ３および第２平面画像Ｓ４を入れ替える必要がないとともに、１／６０フレーム期間毎に、第１画像通過領域制御部３３および第２画像通過領域制御部３４の透過領域４５ｃおよび４８ｃを移動させる必要がない。これにより、第１画像形成部４０および第２画像形成部４１と、第１画像通過領域制御部３３および第２画像通過領域制御部３４との制御を複雑化させることなく、観察者６および７に異なる第１平面画像Ｓ３および第２平面画像Ｓ４を提供することができる。
【００７３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００７４】
たとえば、第１および第２実施形態では、３つの液晶表示パネル１４、１５および１６を有するプロジェクタの例を示したが、本発明はこれに限らず、１つの液晶表示パネルからなるプロジェクタや他の表示手段によって画像を表示する表示パネルを有するプロジェクタにも適用可能である。
【００７５】
また、第１実施形態では、通過制御液晶パネル２５の透過領域２５ｃをスポット状に形成したが、本発明はこれに限らず、第１実施形態の構成において、通過制御液晶パネルの透過領域をＢ方向に延びるスリット状に形成してもよい。このようにスリット状に形成する場合には、単位領域および電極をもスリット状に形成してもよい。また、透過領域の形状は限定されるものではなく、適宜変更可能である。
【００７６】
また、第２実施形態では、通過制御液晶パネル４５および４８の透過領域４５ｃおよび４８ｃをスリット状に形成したが、本発明はこれに限らず、第２実施形態の構成において、第１実施形態と同様に透過領域をスポット状に形成できるように通過制御液晶パネルを構成してもよい。
【００７７】
また、第１実施形態では、視野角限定モードの際に、平面画像を見る場合の例を示したが、本発明はこれに限らず、視野角限定モードにおいて、立体画像を見るようにしてもよい。この場合、図６に示す通過制御液晶パネル２５の透過領域２５ｃのうち、観察者６に対応する透過領域２５ｃのみを通過制御液晶パネル２５に形成することによって、観察者６にのみ立体画像を提供することができるように構成すればよい。
【００７８】
また、上記第１実施形態では、通過制御液晶パネル２５は、９０°ＴＮ（Ｔｗｉｓｔｅｄ  Ｎｅｍａｔｉｃ）方式を用い、通過制御液晶パネル２５を挟んで対向するように配置される第１偏光板２６および第２偏光板２７が、互いに直交する偏光軸を有する例を示したが、本発明はこれに限らず、たとえば、ＶＡ（Ｖｅｒｔｉｃａｌ  Ａｌｉｇｎｍｅｎｔ）方式およびＥＣＢ（Ｅｌｅｃｔｒｉｃａｌｌｙ  Ｃｏｎｔｒｏｌｌｅｄ  Ｂｉｒｅｆｒｉｎｇｅｎｃｅ）方式などの他の方式を用いてもよい。この場合、たとえば、ＶＡ方式を用いれば、通過制御液晶パネルを挟んで対向するように配置される第１偏光板および第２偏光板を、同じ偏光軸を有する偏光板により構成するとともに、通過制御液晶パネル、第１偏光板および第２偏光板の偏光軸に対応するように、画像形成装置により形成される画像に対応する光の偏光軸を設定すればよい。また、このような構成を、上記第２実施形態に適用してもよい。
【図面の簡単な説明】
【００７９】
【図１】本発明の第１実施形態による画像表示装置の全体構成を示した概略図である。
【図２】図１に示した本発明の第１実施形態による画像表示装置の投射レンズ、画像通過領域制御部およびフレネルレンズ（スクリーン）を示した斜視図である。
【図３】図２に示した投射レンズ、画像通過領域制御部およびフレネルレンズにおいて観察者が前方から画像を見た状態を示した平面図である。
【図４】図２に示した投射レンズ、画像通過領域制御部およびフレネルレンズにおいて観察者が前方からフレネルレンズを見た状態を示した側面図である。
【図５】画像通過領域制御部の通過制御液晶パネルの部分拡大図である。
【図６】図１に示した本発明の第１実施形態による画像表示装置の立体画像表示モードにおいて画像形成部が形成する画像と通過制御液晶パネルとの関係を示した図である。
【図７】図１に示した本発明の第１実施形態による画像表示装置の立体画像表示モードにおいて観察者が前方からフレネルレンズを見た状態を示した平面図である。
【図８】図１に示した本発明の第１実施形態による画像表示装置の２画面表示モードにおいて画像形成部が形成する画像と通過制御液晶パネルの状態とを示した図である。
【図９】図１に示した本発明の第１実施形態による画像表示装置の２画面表示モードにおいて一方の観察者が前方から画像を見た状態を示した平面図である。
【図１０】図１に示した本発明の第１実施形態による画像表示装置の２画面表示モードにおいて他方の観察者が前方から画像を見た状態を示した側面図である。
【図１１】図１に示した本発明の第１実施形態による画像表示装置の２画面表示モードにおいて一方の観察者が前方から画像を見た状態を示した平面図である。
【図１２】図１に示した本発明の第１実施形態による画像表示装置の２画面表示モードにおいて他方の観察者が前方から画像を見た状態を示した側面図である。
【図１３】図１に示した本発明の第１実施形態による画像表示装置の視野角限定モードにおいて観察者が前方から画像を見た状態を示した平面図である。
【図１４】本発明の第２実施形態による画像表示装置において、観察者が前方からフレネルレンズを見た状態を示した側面図である。
【図１５】画像通過領域制御部の通過制御液晶パネルの部分拡大図である。
【図１６】第２実施形態の立体画像表示モードにおいて第１画像形成部および第２画像形成部が形成する画像と第１通過制御液晶パネルおよび第２通過制御液晶パネルの状態とを示した図である。
【図１７】第２実施形態の立体画像表示モードにおいて観察者が前方から画像を見た状態を示した平面図である。
【図１８】第２実施形態の立体画像表示モードにおいて観察者が前方から画像を見た状態を示した平面図である。
【図１９】第２実施形態の２画面表示モードにおいて第１画像形成部および第２画像形成部が形成する画像と第１通過制御液晶パネルおよび第２通過制御液晶パネルの状態とを示した図である。
【図２０】第２実施形態の２画面表示モードにおいて一方の観察者が前方から画像を見た状態を示した平面図である。
【図２１】第２実施形態の２画面表示モードにおいて他方の観察者が前方から画像を見た状態を示した平面図である。
【図２２】従来の立体映像表示装置の構成を示した概略図である。
【符号の説明】
【００８０】
１      プロジェクタ
２     画像通過領域制御部
３     フレネルレンズ
１０   画像形成部
１１ａ、１１ｂ投射レンズ
２５ｃ 透過領域
２５ｄ 遮光領域
３０   画像表示装置
【図１】
2006330466.tif 000003
【図２】
2006330466.tif 000004
【図３】
2006330466.tif 000005
【図４】
2006330466.tif 000006
【図５】
2006330466.tif 000007
【図６】
2006330466.tif 000008
【図７】
2006330466.tif 000009
【図８】
2006330466.tif 000010
【図９】
2006330466.tif 000011
【図１０】
2006330466.tif 000012
【図１１】
2006330466.tif 000013
【図１２】
2006330466.tif 000014
【図１３】
2006330466.tif 000015
【図１４】
2006330466.tif 000016
【図１５】
2006330466.tif 000017
【図１６】
2006330466.tif 000018
【図１７】
2006330466.tif 000019
【図１８】
2006330466.tif 000020
【図１９】
2006330466.tif 000021
【図２０】
2006330466.tif 000022
【図２１】
2006330466.tif 000023
【図２２】
2006330466.tif 000024